(57)【特許請求の範囲】
【請求項１】
可撓性を有する材料により形成された帯状部材であって、その長手方向に配置された複数の点光源を有する第１帯状発光体及び第２帯状発光体と、
前記第１帯状発光体を、所定形状に湾曲させ、かつ、その複数の点光源が灯具正面側を向いた状態で灯具正面視手前側に保持するとともに、前記第２帯状発光体を、所定形状に湾曲させ、かつ、その複数の点光源が灯具正面側を向いた状態で灯具正面視奥側に保持する帯状発光体保持手段と、
を備え、
前記帯状発光体保持手段は、灯具正面視手前側に配置され、灯具正面視奥側から手前側に向かって膨らんだ第１ブラケットと、灯具正面視奥側に配置され、灯具正面視手前側から奥側に向かって膨らんだ第２ブラケットと、を備え、
前記第１ブラケットには、灯具正面視奥側から手前側に向かって膨らんだ面に沿って第１帯状発光体装着部が設けられ、当該第１帯状発光体装着部に前記第１帯状発光体が、その複数の点光源が灯具正面側を向いた状態で取り付けられ、
前記第２ブラケットには、灯具正面視手前側から奥側に向かって膨らんだ面に沿って第２帯状発光体装着部が設けられ、当該第２帯状発光体装着部に前記第２帯状発光体が、その複数の点光源が灯具正面側を向いた状態で取り付けられ、
前記第１帯状発光体と第２帯状発光体が立体的に視認可能とされ、
前記第２ブラケットのうち前記第２帯状発光体装着部の反対側の面である灯具正面視手前側の面には、さらに鏡面が設けられていることを特徴とする帯状発光体を用いた灯具。
【請求項２】
前記帯状発光体保持手段は、
灯具正面視手前側に配置された曲面であって、前記第１帯状発光体が固定される第１帯状発光体固定曲面と、
灯具正面視奥側に配置された曲面であって、前記第２帯状発光体が固定される第２帯状発光体固定曲面と、を含むこと特徴とする請求項１に記載の帯状発光体を用いた灯具。
【請求項３】
前記第１帯状発光体は、その複数の点光源が配置された面とは反対側の面が、前記第１帯状発光体固定曲面に略面接触した状態で巻き付けられて固定され、
前記第２帯状発光体は、その複数の点光源が配置された側の面が、前記第２帯状発光体固定曲面に略面接触した状態で巻き付けられて固定されること特徴とする請求項２に記載の帯状発光体を用いた灯具。
【請求項４】
前記第２帯状発光体固定曲面には、該第２帯状発光体固定曲面に巻き付けられた前記第２帯状発光体の前記複数の点光源が挿入される開口が形成されていることを特徴とする請求項３に記載の帯状発光体を用いた灯具。
【請求項５】
前記第１帯状発光体固定曲面及び前記第２帯状発光体固定曲面は、前記第１ブラケット及び第２ブラケットの外周に設けられており、
前記第１ブラケット及び第２ブラケット、前記第１帯状発光体固定曲面及び前記第２帯状発光体固定曲面は、透明又は半透明材料により形成されていることを特徴とする請求項３又は４に記載の帯状発光体を用いた灯具。
【請求項６】
前記第１帯状発光体固定曲面及び前記第２帯状発光体固定曲面は、前記第１ブラケット及び第２ブラケットに沿ってスパイラル状に形成されていることを特徴とする請求項２に記載の帯状発光体を用いた灯具。
【請求項７】
前記第１帯状発光体及び前記第２帯状発光体は、該第１帯状発光体の一方の端部と前記第２帯状発光体の一方の端部とが連続した直線形状の帯状発光体であり、
前記第２帯状発光体の前記複数の点光源は、前記第１帯状発光体の前記複数の点光源が配置された面とは反対側の面に配置されていることを特徴とする請求項５又は６に記載の帯状発光体を用いた灯具。
【請求項８】
前記第１帯状発光体固定曲面及び前記第２帯状発光体固定曲面は、前記第１帯状発光体及び前記第２帯状発光体を該第１帯状発光体固定曲面及び該第２帯状発光体固定曲面に巻き付け固定した場合に、該第１帯状発光体の前記複数の点光源及び該第２帯状発光体の前記複数の点光源が所定範囲を照射する姿勢となるように設計されていることを特徴とする請求項３から６のいずれかに記載の帯状発光体を用いた灯具。
【請求項９】
前記第１帯状発光体と前記第２帯状発光体の間には、灯具正面視上下方向に延びる導光棒が配置されていることを特徴とする請求項１から８のいずれかに記載の帯状発光体を用いた灯具。
【請求項１０】
前記帯状部材は、フレキシブル基板であることを特徴とする請求項１から９のいずれかに記載の帯状発光体を用いた灯具。
【発明の詳細な説明】
【技術分野】
【０００１】
本発明は、帯状発光体を用いた灯具に係り、特に実像による立体感を演出することができる新規見栄えの灯具に関する。
【背景技術】
【０００２】
近年、灯具の分野においては、（特に車両用灯具においては、車両デザインの自由度を高める等の観点より、）新規見栄えの灯具が要望されている。このような灯具として、例えば、特許文献１、特許文献２においては、レンズ形状やリフレクタ反射面を工夫することにより、虚像による立体感を演出する灯具が提案されている。また、複数のＬＥＤ等の点光源を立体的に配置し、実像による立体感を演出することも考えられる。
【先行技術文献】
【特許文献】
【０００３】
【特許文献１】特開２００５−３４７１４４号公報
【特許文献２】特開２００６−２１６４５５号公報
【発明の概要】
【発明が解決しようとする課題】
【０００４】
しかしながら、複数のＬＥＤ等の点光源を立体的に配置し実像による立体感を演出する場合、虚像の場合と比較して、立体感を強調することが可能になるものの、複数のＬＥＤ等の点光源１つ１つを、所定位置に適正姿勢で装着しなければならない。このため、灯具組み立てに相当の工数、時間を要するという問題がある。
【０００５】
本発明は、このような事情に鑑みてなされたものであり、複数の点光源１つ１つを、極めて迅速に、所定位置に適正姿勢で立体的に配置することができ、かつ、実像による立体感を演出することができる新規見栄えの灯具を提供することを目的とする。
【課題を解決するための手段】
【０００６】
上記課題を解決するために、請求項１に記載の発明は、可撓性を有する材料により形成された帯状部材であって、その長手方向に配置された複数の点光源を有する第１帯状発光体及び第２帯状発光体と、前記第１帯状発光体を、所定形状に湾曲させ、かつ、その複数の点光源が灯具正面側を向いた状態で灯具正面視手前側に保持するとともに、前記第２帯状発光体を、所定形状に湾曲させ、かつ、その複数の点光源が灯具正面側を向いた状態で灯具正面視奥側に保持する帯状発光体保持手段と、を備え、前記帯状発光体保持手段は、灯具正面視手前側に配置され、灯具正面視奥側から手前側に向かって膨らんだ第１ブラケットと、灯具正面視奥側に配置され、灯具正面視手前側から奥側に向かって膨らんだ第２ブラケットと、を備え、前記第１ブラケットには、灯具正面視奥側から手前側に向かって膨らんだ面に沿って第１帯状発光体装着部が設けられ、当該第１帯状発光体装着部に前記第１帯状発光体が、その複数の点光源が灯具正面側を向いた状態で取り付けられ、前記第２ブラケットには、灯具正面視手前側から奥側に向かって膨らんだ面に沿って第２帯状発光体装着部が設けられ、当該第２帯状発光体装着部に前記第２帯状発光体が、その複数の点光源が灯具正面側を向いた状態で取り付けられ、前記第１帯状発光体と第２帯状発光体が立体的に視認可能とされ、前記第２ブラケットのうち前記第２帯状発光体装着部の反対側の面である灯具正面視手前側の面には、さらに鏡面が設けられていることを特徴とする。
【０００７】
請求項１に記載の発明によれば、第１帯状発光体及び第２帯状発光体を帯状発光体保持手段に所定形状に湾曲させた状態で保持させるだけで、第１帯状発光体の複数の点光源及び第２帯状発光体の複数の点光源を、一挙に所定位置に適正姿勢で（例えば、灯具正面所定範囲を照射する位置、姿勢で）装着することが可能となる。すなわち、点光源１つ１つを、極めて迅速に、所定位置に適正姿勢で立体的に配置することが可能となる。また、実像による立体感を演出することができる新規見栄えの灯具を提供することが可能となる。
【０００８】
請求項２は、請求項１に記載の発明において、前記帯状発光体保持手段は、灯具正面視手前側に配置された曲面であって、前記第１帯状発光体が固定される第１帯状発光体固定曲面と、灯具正面視奥側に配置された曲面であって、前記第２帯状発光体が固定される第２帯状発光体固定曲面と、を含むこと特徴とする。
【０００９】
請求項２に記載の発明によれば、第１帯状発光体の複数の点光源及び第２帯状発光体の複数の点光源を、第１帯状発光体固定曲面及び第２帯状発光体固定曲面に沿って一挙に所定位置に適正姿勢で（例えば、灯具正面所定範囲を照射する位置、姿勢で）装着すること
が可能となる。
【００１０】
請求項３に記載の発明は、請求項２に記載の発明において、前記第１帯状発光体は、その複数の点光源が配置された面とは反対側の面が、前記第１帯状発光体固定曲面に略面接触した状態で巻き付けられて固定され、前記第２帯状発光体は、その複数の点光源が配置された側の面が、前記第２帯状発光体固定曲面に略面接触した状態で巻き付けられて固定されること特徴とする。
【００１１】
請求項３に記載の発明によれば、第１帯状発光体及び第２帯状発光体を、第１帯状発光体固定曲面及び第２帯状発光体固定曲面に巻き付け固定することにより、第１帯状発光体の複数の点光源及び第２帯状発光体の複数の点光源を、第１帯状発光体固定曲面及び第２帯状発光体固定曲面に沿って一挙に所定位置に適正姿勢で（例えば、灯具正面所定範囲を照射する位置、姿勢で）装着することが可能となる。
【００１２】
請求項４は、請求項３に記載の発明において、前記第２帯状発光体固定曲面には、該第２帯状発光体取付面に巻き付けられた前記第２帯状発光体の前記複数の点光源が挿入される開口が形成されていることを特徴とする。
【００１３】
請求項４に記載の発明によれば、仮に第２帯状発光体の点光源が該第２帯状発光体表面よりも突出していたとしても、該突出した点光源は第２帯状発光体固定曲面の開口に挿入されるので、第２帯状発光体の複数の点光源を、一挙に所定位置に適正姿勢で（例えば、灯具正面所定範囲を照射する位置、姿勢で）装着することが可能となる。
【００１４】
請求項５に記載の発明は、請求項３又は４に記載の発明において、前記第１帯状発光体固定曲面及び前記第２帯状発光体固定曲面は、前記第１ブラケット及び第２ブラケットの外周に設けられており、前記第１ブラケット及び第２ブラケット、前記第１帯状発光体固定曲面及び前記第２帯状発光体固定曲面は、透明又は半透明材料により形成されていることを特徴とする。
【００１５】
請求項５に記載の発明によれば、第１帯状発光体及び第２帯状発光体を第１ブラケット及び第２ブラケット（の外周に形成された第１帯状発光体固定曲面及び第２帯状発光体固定曲面）に巻き付け固定することにより、第１帯状発光体の複数の点光源及び第２帯状発光体の複数の点光源を、第１帯状発光体固定曲面及び第２帯状発光体固定曲面に沿って一挙に所定位置に適正姿勢で（例えば、灯具正面所定範囲を照射する位置、姿勢で）装着することが可能となる。
【００１６】
請求項６に記載の発明は、請求項２に記載の発明において、前記第１帯状発光体固定曲面及び前記第２帯状発光体固定曲面は、前記第１ブラケット及び第２ブラケットに沿ってスパイラル状に形成されていることを特徴とする。
【００１７】
請求項６に記載の発明によれば、第１帯状発光体及び第２帯状発光体を、第１ブラケット及び第２ブラケット（の外周に形成された第１帯状発光体固定曲面及び第２帯状発光体固定曲面）に非直線状（例えば、スパイラル状）に巻き付けることが可能となるので、第１ブラケット及び第２ブラケットに対する第１帯状発光体及び第２帯状発光体の装着を極めて迅速に行うことが可能となる。また、灯具正面視スパイラル状に立体配置された点光源（実像）による立体感を演出することができる新規見栄えの灯具を提供することが可能となる。
【００１８】
請求項７は、請求項５又は６に記載の発明において、前記第１帯状発光体及び前記第２帯状発光体は、該第１帯状発光体の一方の端部と前記第２帯状発光体の一方の端部とが連続した直線形状の帯状発光体であり、前記第２帯状発光体の前記複数の点光源は、前記第１帯状発光体の前記複数の点光源が配置された面とは反対側の面に配置されていることを
特徴とする。
【００１９】
請求項７に記載の発明によれば、第１帯状発光体及び前記第２帯状発光体は、連続した直線形状の帯状発光体であり、第２帯状発光体の前記複数の点光源は、前記第１帯状発光体の前記複数の点光源が配置された面とは反対側の面に配置されているので、第１帯状発光体と第２帯状発光体との間の帯状部分を「ねじって」反転させることなく、第１帯状発光体及び第２帯状発光体を、ブラケット（の外周に形成された第１帯状発光体固定曲面及び第２帯状発光体固定曲面）にスパイラル状に巻き付けることが可能となる。
【００２０】
請求項８に記載の発明は、請求項３から６のいずれかに記載の発明において、前記第１帯状発光体固定曲面及び前記第２帯状発光体固定曲面は、前記第１帯状発光体及び前記第２帯状発光体を該第１帯状発光体固定曲面及び該第２帯状発光体固定曲面に巻き付け固定した場合に、該第１帯状発光体の前記複数の点光源及び該第２帯状発光体の前記複数の点光源が所定範囲を照射する姿勢となるように設計されていることを特徴とする。
【００２１】
請求項８に記載の発明によれば、第１帯状発光体固定曲面及び第２帯状発光体固定曲面を各点光源が所望の範囲を照射する位置、姿勢となるように設計することにより、第１帯状発光体の複数の点光源及び第２帯状発光体の複数の点光源を、第１帯状発光体固定曲面及び第２帯状発光体固定曲面に沿って一挙に所望の位置に所望の姿勢（例えば、灯具正面所定範囲を照射する位置、姿勢）で装着することが可能となる。
【００２２】
請求項９に記載の発明は、請求項１から８のいずれかに記載の発明において、前記第１帯状発光体と前記第２帯状発光体の間には、灯具正面視上下方向に延びる導光棒が配置されていることを特徴とする。
【００２３】
請求項９に記載の発明によれば、第１帯状発光体と第２帯状発光体の間には、灯具正面視上下方向に延びる樹脂部材（例えば、導光棒）が配置されているので、灯具正面視スパイラル状に立体配置された点光源（実像）による立体感をさらに強調できる新規見栄えの灯具を提供することが可能となる。
【００２４】
請求項１０に記載の発明は、請求項１から９のいずれかに記載の発明において、前記帯状部材は、フレキシブル基板であることを特徴とする。
【００２５】
これは、帯状部材の例示である。本発明は、これに限定されず、例えば、他のフレキシブルな材料を帯状部材としてもよい。
【発明の効果】
【００２７】
本発明によれば、複数の点光源１つ１つを、極めて迅速に、所定位置に適正姿勢で立体的に配置することができ、かつ、実像による立体感を演出することができる新規見栄えの灯具を提供することが可能となる。
【図面の簡単な説明】
【００２８】
【図１】本発明の灯具である車両用灯具１００が適用された車両の背面図（車両用灯具１００に着目すれば、車両用灯具１００の正面図）である。
【図２】本実施形態の車両用灯具１００の構成を説明するための図である。
【図３】本実施形態の車両用灯具１００の組み立て図である。
【図４】本実施形態の車両用灯具１００に用いられる帯状発光体１０の例を説明するための図である。
【図５】ブラケット２０の外周に形成される帯状発光体固定曲面２１ａ、２１ｂを説明するための図である。
【図６】ブラケット２０の外周に形成された帯状発光体固定曲面２１ａ、２１ｂに帯状発光体１０を巻き付けた状態を説明するための図である。
【図７】帯状発光体１０の変形例である。
【図８】帯状発光体１０の変形例である。
【図９】帯状発光体１０の変形例である。
【発明を実施するための形態】
【００２９】
以下、本発明の灯具を自動車等の車両のリアランプ等の車両用灯具に適用した例について、図面を参照しながら説明する。
【００３０】
図１は、本発明の灯具である車両用灯具１００が適用された車両の背面図（車両用灯具１００に着目すれば、車両用灯具１００の正面図）である。図２は、本実施形態の車両用灯具１００の構成を説明するための図である。図３は、本実施形態の車両用灯具１００の組み立て図である。
【００３１】
図１に示すように、本実施形態の車両用灯具１００は、自動車等の車両Ｖのリアランプ等の車両用灯具に適用されるものであり、図２及び図３に示すように、帯状発光体１０、帯状発光体１０を所定形状に湾曲させた状態で保持するブラケット２０、導光棒３０、奥側インナーレンズ４０、エクステンション５０、手前側インナーレンズ６０等を備えている。
【００３２】
図４（ａ）（ｂ）は、本実施形態の車両用灯具１００に用いられる帯状発光体１０の例を説明するための図である。
【００３３】
図４（ａ）（ｂ）に示すように、帯状発光体１０は、フレキシブル基板等の可撓性を有する材料により形成された帯状部材であって、その長手方向に配置された複数のＬＥＤパッケージ等の点光源１３を有する第１帯状発光体１１及び第２帯状発光体１２を備えている。第１帯状発光体１１の一端１１ａと第２帯状発光体１２の一端１２ａとは連続しており、帯状発光体１０は略直線形状となっている（図４（ａ）参照）。なお、複数の点光源１３の配置間隔は、均等、不均等のいずれであってもよい。
【００３４】
第２帯状発光体１２の複数の点光源１３は、第１帯状発光体１１の複数の点光源１３が配置された面とは反対側の面に配置されている（両面実装）。このため、第１帯状発光体１１と第２帯状発光体１２との間の帯状部分を「ねじって」反転させることなく、後述のように、帯状発光体１０をブラケット２０の外周にスパイラル状に巻き付けることが可能となる（図４（ｂ）参照）。
【００３５】
図５は、ブラケット２０の外周に形成される帯状発光体固定曲面２１ａ、２１ｂを説明するための図である。
【００３６】
図３、図５に示すように、ブラケット２０は、透明又は半透明の合成樹脂材料等で形成された第１ブラケット２１及び第２ブラケット２２を備えている。
【００３７】
第１ブラケット２１は、灯具正面視手前側に配置されており、灯具正面視奥側から手前側に向かって膨らみ、かつ、灯具正面からみてスパイラル状に延びる第１凸曲面２１ａ（図３、図５では、第１ブラケット２１に形成されたインナーレンズ取付溝２１ｂの底面を例示）を有している。第２ブラケット２２は、灯具正面視奥側に配置されており、灯具正面視手前側から奥側に向かって膨らみ、かつ、灯具裏面からみてスパイラル状に延びる第２凸曲面２２ａ（図３、図５では、インナーレンズ取付溝２２ｂの底面を例示）を有している。この第１ブラケット２１と第２ブラケット２２を図５に示すように組み合わせることで、ブラケット２０の外周には、第１凸曲面２１ａと第２凸曲面２２ａとが略連続したスパイラル状に延びる帯状発光体固定曲面２１ａ、２２ａが形成される。
【００３８】
図６は、ブラケット２０の外周に形成された帯状発光体固定曲面２１ａ、２１ｂに帯状発光体１０を巻き付けた状態を説明するための図である。
【００３９】
この帯状発光体固定曲面２１ａ、２２ａには、図６に示すように、帯状発光体１０がスパイラル状に巻き付けられ、接着剤、ネジ、熱カシメ等の公知の固定手段により固定される。第１帯状発光体及び第２帯状発光体は、スパイラル状に巻き付けられるので、ブラケット２０に対する第１帯状発光体１１及び第２帯状発光体１２の装着を極めて迅速に行うことが可能となる。
【００４０】
灯具正面視手前側の第１凸曲面２１ａには、第１帯状発光体１１がその複数の点光源１３が配置された面とは反対側の面を第１凸曲面２１ａに略面接触させた状態で巻き付けられ、固定される。
【００４１】
第１凸曲面２１ａは、該第１凸曲面２１ａに巻き付け固定された第１帯状発光体１１の各点光源１３が所望の範囲を照射する位置、姿勢となるように設計されている。このため、第１帯状発光体１１を第１凸曲面２１ａに巻き付け固定するだけで、その複数の点光源１３を、第１凸曲面２１ａに沿って一挙に所望の位置に所望の姿勢（例えば、灯具正面所定範囲を照射する位置、姿勢）で装着することが可能となる。
【００４２】
インナーレンズ取付溝２１ｂには、第１帯状発光体１１が第１凸曲面２１ａに巻き付けられ、固定された後、アルミ蒸着等による鏡面処理が施された表面５１（第１帯状発光体１１の複数の点光源１３が挿入される複数の開口５２が形成されている）を持つエクステンション５０が装着され、さらに、そのエクステンション５０を覆うように、カット等の所定処理が施された表面６１を持つインナーレンズ６０が装着される。
【００４３】
灯具正面視奥側の第２凸曲面２２ａには、第２帯状発光体１２の複数の点光源１３が挿入される複数の開口２２ｃが形成されている。この第２凸曲面２２ａには、第２帯状発光体１２の複数の点光源１３が該複数の開口２２ｃに挿入されるとともに、その複数の点光源１３が配置された面を第２凸曲面２２ａに略面接触させた状態で巻き付けられ、固定される。第２凸曲面２２ａには、複数の開口２２ｃが形成されているので、仮に第２帯状発光体１２の点光源１３が該第２帯状発光体１２表面よりも突出していたとしても（フレキシブル基板にＬＥＤパッケージを表面実装した場合）、該突出した点光源１３は第２凸曲面２２ａの開口２２ｃに挿入されるので、第２帯状発光体１２の複数の点光源１３を、一挙に所定位置に適正姿勢で（例えば、灯具正面所定範囲を照射する位置、姿勢で）装着することが可能となる。
【００４４】
第２凸曲面２２ａは、該第２凸曲面２２ａに巻き付け固定された第２帯状発光体１２の各点光源１３が所望の範囲を照射する位置、姿勢となるように設計されている。このため、第２帯状発光体１２を第２凸曲面２２ａに巻き付け固定するだけで、その複数の点光源１３を、第２凸曲面２２ａに沿って一挙に所望の位置に所望の姿勢（例えば、灯具正面所定範囲を照射する位置、姿勢）で装着することが可能となる。
【００４５】
なお、第２帯状発光体１２の複数の点光源１３は、第１帯状発光体１１の複数の点光源１３が配置された面とは反対側の面に配置されている。このため、第１帯状発光体１１と第２帯状発光体１２との間の帯状部分を「ねじって」反転させることなく、帯状発光体１０を巻き付けることが可能となっている。
【００４６】
第２凸曲面２２ａの反対側には、灯具正面視手前側から奥側に膨らみ、かつ、アルミ蒸着等による鏡面処理が施された凹曲面２２ｄが形成されており、この凹曲面２２ｄには、カット等の所定処理が施された表面４１を持つインナーレンズ４０が装着されている。
【００４７】
以上説明したように、本実施形態の車両用灯具１００によれば、帯状発光体１０は、ブラケット２０の外周に形成された帯状発光体固定曲面２１ａ、２２ａにスパイラル状に巻き付けられ、固定される。これにより、第１帯状発光体１１は灯具正面視手前側に配置され（さらに第１帯状発光体１１の複数の点光源１３が第１凸曲面２１ａに沿って立体的に配置され）、かつ、第２帯状発光体１２は灯具正面視奥側に配置される（さらに第２帯状発光体１２の複数の点光源１３が第２凸曲面２２ａに沿って立体的に配置される）。
【００４８】
すなわち、本実施形態の車両用灯具１００によれば、第１帯状発光体１１及び第２帯状発光体１２を、第１凸曲面２１ａ及び第２凸曲面２２ａに巻き付け固定することにより、第１帯状発光体１１の複数の点光源１３及び第２帯状発光体１２の複数の点光源１３を、第１凸曲面２１ａ及び第２凸曲面２２ａに沿って一挙に所定位置に適正姿勢で（例えば、灯具正面所定範囲を照射する位置、姿勢で）装着することが可能となる。
【００４９】
従って、車両用灯具１００正面に視点を置いた場合、第１帯状発光体１１及び第２帯状発光体１２を立体的に視認することが可能となる。すなわち、本実施形態の車両用灯具１００によれば、立体配置された複数の点光源１３（実像）による立体感を演出することができる新規見栄えの車両用灯具１００を提供することが可能となる。
【００５０】
本実施形態では、立体配置された点光源１３（実像）による立体感をさらに強調するために、図２に示すように、第１帯状発光体１１と第２帯状発光体１２の間に、灯具正面視上下方向に延びる導光棒３０（図２、図３等では、三本の導光棒３０を例示）が配置されている。
【００５１】
この導光棒３０は、その一端（又は両端）に配置されたＬＥＤパッケージ等の光源７０が発光した光が入射し内部反射することにより発光するようになっている。この導光棒３０は、例えば、図５に示すように、第２ブラケット２２の第２凸曲面２２ａが形成された面とは反対側の面に形成された上下方向に延びる溝２２ｅに挿入され位置決めされた状態で固定される。このため、車両Ｖが振動したとしても導光棒３０の位置ズレは生じない。また、ブラケット２０は、第１ブラケット２１と第２ブラケット２２に分割し、両者を組み合わせて構成されている。このため、第２ブラケット２２（又は第１ブラケット２１）に対する導光棒３０の装着を極めて容易に行うことが可能となる。
【００５２】
このように、第１帯状発光体１１と第２帯状発光体１２の間には、灯具正面視上下方向に延びる導光棒３０が配置されているので、灯具正面視スパイラル状に立体配置された点光源１３（実像）による立体感をさらに強調できる新規見栄えの車両用灯具１００を提供することが可能となる。
【００５３】
次に、上記構成の車両用灯具１００の組立方法について図３を参照しながら説明する。
【００５４】
まず、第２ブラケット２２（第２凸曲面２２ａの反対側の凹曲面２２ｄ）に、インナーレンズ４０を装着する。
【００５５】
次に、導光棒３０を、第２ブラケット２２の溝２２ｅ（第２凸曲面２２ａが形成された面とは反対側の面に形成された上下方向に延びる溝２２ｅ）に装着する。そして、この導光棒３０が装着された第２ブラケット２２と第１ブラケット２１を組み合わせる。これにより、ブラケット２０の外周には、第１凸曲面２１ａと第２凸曲面２２ａとが略連続したスパイラル状に延びる帯状発光体固定曲面２１ａ、２２ａが形成される。
【００５６】
次に、帯状発光体１０を、ブラケット２０の外周面に形成された帯状発光体固定曲面２１ａ、２２ａにスパイラル状に巻き付け、接着剤、ネジ、熱カシメ等の公知の固定手段により固定する。そして、インナーレンズ取付溝２１ｂに、エクステンション５０を装着し、さらにそのエクステンション５０を覆うようにインナーレンズ６０を装着する。以上のようにして、図２に示す、車両用灯具１００の組み立てが完成する。
【００５７】
以上説明したように、本実施形態の車両用灯具１００によれば、第１帯状発光体１１及び第２帯状発光体１２を帯状発光体保持手段であるブラケット２０に所定形状に湾曲させた状態で保持（巻き付け固定）させるだけで、第１帯状発光体１１の複数の点光源１３及び第２帯状発光体１２の複数の点光源１３を、一挙に所定位置に適正姿勢で（例えば、灯具正面所定範囲を照射する位置、姿勢で）装着することが可能となる。すなわち、点光源１つ１つを、極めて迅速に、所定位置に適正姿勢で立体的に配置することが可能となる。また、このように立体配置された点光源１３（実像）による立体感を演出することができる新規見栄えの車両用灯具１００を提供することが可能となる。
【００５８】
次に、変形例について説明する。
【００５９】
上記実施形態においては、第１帯状発光体１１と第２帯状発光体１２の二つを用いた例について説明したが、本発明はこれに限定されない。例えば、第３帯状発光体等の三つ以上の帯状発光体を用いて本発明の灯体を構成してもよい（この場合、図２に示すスパイラルが、上下方向にさらに長くなる）。
【００６０】
また、上記実施形態においては、第１帯状発光体１１と第２帯状発光体１２が固定される面は、第１凸曲面２１ａと第２凸曲面２２ａとが略連続したスパイラル状に延びる帯状発光体固定曲面２１ａ、２２ａであるように説明したが、本発明はこれに限定されない。例えば、第１凸曲面２１ａと第２凸曲面２２ａとは、灯具正面視略平行に配置されていてもよい。
【００６１】
また、上記実施形態においては、第１帯状発光体１１の一端１１ａと第２帯状発光体１２の一端１２ａとは連続しており、帯状発光体１０は略直線形状となっているように説明したが、本発明はこれに限定されない。例えば、帯状発光体１０は、図７（ａ）（ｂ）に示すように、第１帯状発光体１１と第２帯状発光体１２それぞれの両端部が連続した環形状となっていてもよい。あるいは、図８（ａ）（ｂ）に示すように、帯状発光体１０は、第１帯状発光体１１と第２帯状発光体１２が所定角度をなすように、それぞれの端部で連続した形状となっていてもよい。あるいは、図９（ａ）（ｂ）に示すように、帯状発光体１０は、第１帯状発光体１１と、この第１帯状発光体１１とは別体の第２帯状発光体１２であってもよい。この場合、第１帯状発光体１１と第２帯状発光体１２をジャンパー線等で接続してもよい。
【００６２】
また、上記実施形態においては、本発明の灯具を、帯状発光体１０、ブラケット２０、導光棒３０、奥側インナーレンズ４０、エクステンション５０、手前側インナーレンズ６０で構成する例について説明したが、本発明はこれに限定されない。これらの構成を適宜組み合わせることで、本発明の灯具を構成することが可能である。例えば、帯状発光体１０、ブラケット２０のみでも本発明の灯具を構成することが可能である。この場合、ブラケット２０は、第１ブラケット２１と第２ブラケット２２に分割することなく、一体的に構成することが可能である。
【００６３】
また、上記実施形態においては、本発明の灯具を自動車等の車両のリアランプ等の車両用灯具に適用した例について説明したが、本発明はこれに限定されない。例えば、本発明の灯具は、自動車等の車両の室内灯等のインテリア装飾灯、自動二輪車等のリアランプにも適用可能である。あるいは、広告灯、警告灯、標識灯、遊技機灯の装飾灯としても適用可能である。
【００６４】
上記実施形態はあらゆる点で単なる例示にすぎない。これらの記載によって本発明は限定的に解釈されるものではない。本発明はその精神または主要な特徴から逸脱することなく他の様々な形で実施することができる。
【符号の説明】
【００６５】
１００…車両用灯具、１０…帯状発光体、１１…第１帯状発光体、１２…第２帯状発光体、１３…点光源（ＬＥＤパッケージ）、２０…ブラケット、２１…第１ブラケット、２１ａ…第１凸曲面、２１ｂ…インナーレンズ取付溝、２２…第２ブラケット、２２ａ…第２凸曲面、２２ｂ…インナーレンズ取付溝、２２ｃ…開口、２２ｄ…面、２２ｅ…溝、３０…導光棒、４０…奥側インナーレンズ、４１…表面、５０…エクステンション、５１…表面、５２…開口、６０…手前側インナーレンズ、６１…表面、７０…光源、Ｖ…車両
【図１】
0005729567.tif 000002
【図２】
0005729567.tif 000003
【図３】
0005729567.tif 000004
【図４】
0005729567.tif 000005
【図５】
0005729567.tif 000006
【図６】
0005729567.tif 000007
【図７】
0005729567.tif 000008
【図８】
0005729567.tif 000009
【図９】
0005729567.tif 000010